(57)【要約】      （修正有）【課題】  効果的にファンの騒音量を制御し、使用者が受ける騒音の影響を低減することが可能なコンピュータ用の低騒音放熱装置及び放熱方法置の提供する。【解決手段】  コンピュータ本体に電動ゲート及びファンを設け、温度コントローラを含む制御回路を利用し、該電動ゲートの開閉度及び該ファンの回転速度を該コンピュータ本体の内部温度に合わせて変化させ、これにより、該コンピュータ本体の内部温度が低くなると、該電動ゲートの開閉度が小さくなり、ファン回転速度が低くなるため、該ファンが発生する騒音も低くなり、使用者が受ける高騒音の確率を相対的に減少することができ、且つ、該ファンの消費電力も相対して低くできる。【選択図】  図１
2006301763.tif 000002
【特許請求の範囲】
【請求項１】
電動ゲート及びファンをコンピュータ本体に設置し、複数の温度区間及び複数のゲート開閉度を定義して各温度区間を１つのゲート開閉度に対応させ、該コンピュータ本体の内部温度を取得した後、該内部温度が属する温度区間を見つけ、該電動ゲートを駆動し、該電動ゲートの開閉度等を該温度区間が対応するゲート開閉度とする、コンピュータ用低騒音放熱方法。
【請求項２】
前記複数の温度区間及び複数のゲート開閉度の定義手順が、さらに複数のファン回転速度の定義を含み、且つ、各温度区間を１つのゲート開閉度及び１つのファン回転速度に対応させ、該電動ゲートの駆動手順がさらに該ファンの駆動を含み、該ファンの回転速度を該温度区間が対応するファン回転速度に等しくする、請求項１に記載のコンピュータ用低騒音放熱方法。
【請求項３】
ファンを備えたコンピュータ本体に電動ゲートを設置し、複数のファン回転速度及び複数のゲート開閉度を定義し、各ゲート開閉度を１つのファン回転速度に対応させ、該ファンの実際の回転速度を取得した後、該実際の回転速度が属するファン回転速度を見つけ、該電動ゲートを駆動し、該電動ゲートの開閉度を該ファン回転速度が対応するゲート開閉度に等しくする、コンピュータ用低騒音放熱方法。
【請求項４】
電動ゲートと、ファンと、制御回路を含み、該電動ゲートはコンピュータ本体に固定され、該ファンはコンピュータ本体内部に設置され、該電動ゲートが開いたとき該ファンの気流がコンピュータ本体内部と外部の間で流動し、該制御回路は該コンピュータ本体内部に設置され、該電動ゲートの一部品を検知・駆動して検知結果に基づき該電動ゲートの開閉度を制御し、そのうち、該制御回路がコンピュータ本体の内部温度を検知するための温度センサと、電動ゲートを駆動するためのゲート駆動回路と、該温度センサの検知結果に基づき該ゲート駆動回路を制御し、該電動ゲートを駆動して対応する開閉度とするマイクロプロセッサとを含む、コンピュータ用低騒音放熱装置。
【請求項５】
電動ゲートと、ファンと、制御回路を含み、該電動ゲートはコンピュータ本体に固定され、該ファンはコンピュータ本体内部に設置され、該電動ゲートが開いたとき該ファンの気流がコンピュータ本体内部と外部の間で流動し、該制御回路は該コンピュータ本体内部に設置され、該電動ゲートの一部品を検知・駆動して検知結果に基づき該電動ゲートの開閉度を制御し、そのうち、該制御回路がコンピュータ本体の内部温度を検知するための温度センサと、電動ゲートを駆動するためのゲート駆動回路と、該ファンを駆動するためのファン駆動回路と、該温度センサの検知結果に基づき該ゲート駆動回路を制御し、該電動ゲートを駆動して対応する開閉度とすると共に、ファイファン駆動回路を制御し、該ファンを対応する回転速度とするマイクロプロセッサとを含む、コンピュータ用低騒音放熱装置。
【請求項６】
前記電動ゲートが、通風孔内に固定されたフレームと、該フレームの２つの対辺にそれぞれ相互に平行且つ回動可能に跨設された複数の放熱フィンと、モータ及び一組の伝動部品を含む駆動装置を含み、該モータが該伝動部品の伝動を介し該放熱フィンを同時に回動させる、請求項４または５に記載のコンピュータ用低騒音放熱装置。
【発明の詳細な説明】
【技術分野】
【０００１】
本発明はコンピュータ本体の放熱技術及び装置に関し、詳細には、低騒音・低消費電力の放熱装置及び放熱方法に関する。                
【背景技術】
【０００２】
従来のコンピュータ本体の背面パネルには後部ファンが設置されており、コンピュータ本体内部で動作により発生する熱を排出するために用いられている。近年、ＣＰＵの消費電力が大幅に上がっているため、コンピュータ本体の前面パネルにも前部ファンを追加設置するものもある。
【発明の開示】
【発明が解決しようとする課題】
【０００３】
しかし、この後部ファンまたは前部ファンのどちらにしても、その運転時には常に騒音が発生し、且つ、この騒音は何の隔離措置もなく直接使用者の耳に伝わるため、静かさが妨害され、作業時の気分に影響するだけでなく、長期的には使用者の聴力が損なわれる場合もある。
【０００４】
そこで、本発明の目的の1つは、ファンの騒音量を制御し、使用者が受ける騒音による影響を低減可能なコンピュータに用いる低騒音の放熱装置及び放熱方法置を提供することにある。
【課題を解決するための手段】
【０００５】
本発明の1つの観点としての放熱装置は、電動ゲート及びファンをコンピュータ本体に設置し、且つ、この電動ゲートの開閉度を条件に伴って変化させる。例えばコンピュータ本体の内部温度に合わせて変化させたり、ファンの実際の回転速度に合わせて変化させたりすることで、コンピュータ本体の内部温度またはファンの実際の回転速度が低下すると、電動ゲートの開閉度が小さくなり、それに伴いファンが発生する騒音も低くすることができる。
【０００６】
このほか、この電動ゲートの開閉度がコンピュータ本体の内部温度に合わせて変化する例においては、さらにファンの回転速度もコンピュータ本体の内部温度に合わせて変化させることもできる。これにより、コンピュータ本体の内部温度が低くなると、電動ゲートの開閉度が小さくなり、且つ、ファンの回転速度が低くなるのに伴い、ファンが発生する騒音も低くすることができる。
【発明の効果】
【０００７】
本発明によれば、コンピュータ本体の内部温度またはファンの実際の回転速度の低下に伴いファンが発生する騒音も低くなるため、使用者が受ける騒音による影響が低減し、使用者に対するファンの騒音による悪影響が改善される。        
【０００８】
加えて、コンピュータ本体の内部温度の下降に伴いファンの回転速度が低下するとき、ファンの消費電力も低下するため、電力が節約される。
【発明を実施するための最良の形態】
【０００９】
以下、本発明の実施例について図面を参照しながら説明する。
【実施例】
【００１０】
図１に示すように、コンピュータ本体１の前面パネル１０に通風孔１１を形成し、この通風孔１１内に電動ゲート２を設置する。この電動ゲート２は、通風孔１１内に固定されたフレーム２０と、このフレーム２０の対辺に相互に平行且つそれぞれ回動可能に跨設された複数の放熱フィン２１と、モータ及び伝動部材一組を含む駆動装置（不図示）を含み、このモータが伝動部材の伝動を介し複数の放熱フィン２１を同時に回動させる。
【００１１】
また、図２に示すように、コンピュータ本体１内部にファン３を設置し、このファン３は電動ゲート２が開くとき、回転して気流を発生する。図中に矢印で示すように、この気流はコンピュータ本体１内部から電動ゲート２を経て外部へ向かって流動する。そのうち、各放熱フィン２１が水平位置まで回動すると、電動ゲート２の全開状態、即ち、電動ゲート２の開閉度が９０度の状態が形成される。
【００１２】
さらに、図３に示すように、各放熱フィン２１が傾斜約４５度の位置まで回動すると、電動ゲート２の半開状態、即ち、電動ゲート２の開閉度が４５度の状態が形成される。
【００１３】
図４に示すように、隣接する２枚の放熱フィン２１の一部が重なり合うとき、電動ゲート２が全閉状態、即ち、電動ゲート２の開閉度が０度の状態が形成される。このとき同時に、ファン３は運転を停止する。
【００１４】
このように本実施例では、電動ゲート２の開閉度は０度（全閉）から９０度（全開）の間で変化することができ、且つ、この電動ゲート２の開閉度が小さければ小さいほど、ファン３の運転時に発生する騒音の隔離効果が高くなる。このため、コンピュータ本体１にこの電動ゲート２及びファン３を設置し、この電動ゲート２の開閉度をコンピュータ本体１の内部温度に合わせて変化させるだけ（コンピュータ本体１の内部温度に応じて電動ゲート２を開閉制御して、通風孔１１の開口率を変化させること）で、コンピュータ本体１の内部温度が低い時は、ファン３が発生する騒音を対応して低くすることができる。またこのとき同時に、コンピュータ本体１の内部温度の低下に合わせてさらにファン３の回転速度を低下させると、騒音がより低くなるだけでなく、ファン３の消費電力も低くなるため、節電効果も得られる。
【００１５】
図５に制御回路４のダイアグラムを示す。この制御回路４は、コンピュータ本体１内部に設置され、コンピュータ本体１の内部温度を検知するための温度センサ４０と、電動ゲート２を駆動するためのゲート駆動回路４１と、ファン３を駆動するためのファン駆動回路４２と、温度センサ４０の検知結果及び予め定義（メモリ等に記憶）されたデータテーブル（対照表）に基づき、電動ゲート２の開閉度及びファン３の回転速度を制御するマイクロプロセッサ４３とを含む。
【００１６】
また、このデータテーブルには主に複数の温度区間、複数のゲート開閉度及び複数のファン回転速度が定義（記憶）され、且つ、各ゲート開閉度を１つの温度区間にそれぞれ対応させ、各ファン回転速度も１つの温度空間にそれぞれ対応している。表1は、この対照表の例の１つである。
【００１７】
【表１】
2006301763.tif 000003
【００１８】
そして、マイクロプロセッサ４３がコンピュータ本体１の内部温度を取得した後、この対照表に基づきその内部温度に対応するゲート開閉度及びファン回転速度を読み込み、電動ゲート２を制御してその対応するゲート開閉度まで回動させると共に、ファン３を制御してその対応するファン回転速度で回転させる。例えば、温度センサ４０が検知するコンピュータ本体１の内部温度が３８℃の場合、この対照表に基づき、マイクロプロセッサ４３がゲート駆動回路４１を介し電動ゲート２を図３に示すように４５度の位置まで回動させ、同時に、マイクロプロセッサ４３がファン駆動回路４２を介し、ファン３を１８００rpmの回転速度で運転させる。
【００１９】
また、電動ゲート２の開閉度をコンピュータ本体１の内部温度に応じて変化させるのではなく、電動ゲート２の開閉度をファン３の実際に回転している回転速度に応じて変化させるように構成してもよい。例えば、表１において、温度センサ４０が検知するコンピュータ本体１の内部温度が３３℃の場合、マイクロプロセッサ４３がファン駆動回路４２を介し、ファン３を９００rpmの回転速度で運転させ、その後、このファン３の回転速度に応じて、マイクロプロセッサ４３がゲート駆動回路４１を介し電動ゲート２を１５度の位置まで回動させる。
【００２０】
このほか、図５に示すように、ディスプレイ装置５を設けてもよく、このディスプレイ装置５は、コンピュータ本体１の前面パネル１０に設置し、且つ、制御回路４のマイクロプロセッサ４３に接続し、コンピュータ本体１の内部温度の表示に用いる。必要に応じ、このディスプレイ装置５に電動ゲート２の開閉度やファン３の実際回転速度等、電動ゲート２及びファン３の動作状態を表示するようにしてもよい。
【００２１】
上述の説明から誰でも充分に教導を得られ、且つ、本実施例はコンピュータ本体の放熱の必要を満たし、さらに使用者が受ける高騒音の確率を減少することができることが分かる。
【図面の簡単な説明】
【００２２】
【図１】本発明の実施例に基づく立体外観図である。
【図２】本発明の実施例に基づく電動ゲートの動作（全開）を示す側面図である。
【図３】本発明の実施例に基づく電動ゲートの動作（半開）を示す側面図である。
【図４】本発明の実施例に基づく電動ゲートの動作（全閉）を示す側面図である。
【図５】本発明の実施例に基づく制御回路の構成ブロック図である。
【符号の説明】
【００２３】
１        コンピュータ本体
１０      前面パネル
１１      通風孔
２        電動ゲート
２０      フレーム
２１      複数の放熱フィン
３        ファン
４        制御回路
４０      温度センサ    
４１      ゲート駆動回路
４２      ファン駆動回路
４３      マイクロプロセッサ
５        ディスプレイ装置
【図１】
2006301763.tif 000004
【図２】
2006301763.tif 000005
【図３】
2006301763.tif 000006
【図４】
2006301763.tif 000007
【図５】
2006301763.tif 000008